(57)【要約】      （修正有）【課題】取り付け、取り外しが容易で、水槽の外で水槽レイアウトを作り上げることができ、簡単、楽に、短時間で、初心者から老人、女性、子供でも、魚、水草を飼育可能な装飾部材を兼ねた濾過部材を提供する。【解決手段】水槽４の内寸に合わせて石膏で製作された底板ベース５に装飾部材の部品の落下防止ネット９と砂・砂利を上部に乗せた濾過部材８とを組み合わせ、水投入用の循環パイプ２を挿入孔７に取りつける。【選択図】図１
0003194614.tif 000002
【実用新案登録請求の範囲】
【請求項１】
底板ベースに濾過部材および落下防止ネットを備えた装飾部材を兼ねた濾過部材
【考案の詳細な説明】
【技術分野】
【０００１】
本考案は、観賞用水槽の中に設置する装飾部材を兼ねた濾過部材に関する。
【背景技術】
【０００２】
従来、装飾部材を水槽内にレイアウトする場合は、水槽内の水の中で作り上げるため、専用品も数多く必要であり、また、知識、手間、時間、テクニックも必要とされるため、難しい手順を踏んで、魚、水草を飼育していた。なお、濾過部材については、別途設置されている。
【先行技術文献】
【特許文献】
【０００３】
【特許文献１】特開２０１３−２４７９３７号公報
【考案の概要】
【考案が解決しようとする課題】
【０００４】
観賞用水槽で、魚、水草を飼育するにあたっては、砂、砂利を、砂利スコップ等を使い底砂を敷き詰め、石や流木で飾り付け後、水を入れることがしばしば行われている。この場合に、水を入れるときには、砂、砂利、飾り付けた物を水流で崩さぬようボウル等を用いて、少しずつ静かに水を入れる必要がある。また、水草用ピンセットで浮き上がらないよう、パイプ等、隠すように砂底に植え込み必要があり、このようして完成した後に魚を入れて完成させる。
【０００５】
水槽内で、魚を飼育していると、いつしか水が汚れ、コケが発生するため、定期的に、水を新しい水に交換する必要がある。汚れた水を専用ポンプにて水を抜き、コケを落とし、砂、水草等の飾り付けていたものは、蓄積した残餌、排泄物等の汚れを清掃し、清掃したものを飾り付けなおし、新しい水を入れて完成する。
【０００６】
上記の場合においては、水中での製作、専用品も必要で、知識、手間、時間、テクニックも必要で、難しい手順を踏んで、魚、水草を、飼育しなければならない。
【課題を解決するための手段】
【０００７】
上記の課題を解決するための本考案は、底板ベースに濾過部材，落下防止ネットを備えた装飾部材を兼ねた濾過部材である。
【考案の効果】
【０００８】
水槽内の作業に比べて取り付け、取り外し容易な本考案の装飾部材を兼ねた濾過部材では、水槽の外で水槽レイアウトを作り上げることができ、難しい手順もいらず、簡単、楽に、短時間で、初心者から老人、女性、子供でも、魚、水草を飼育可能である。
【図面の簡単な説明】
【０００９】
【図１】本考案の装飾部材を兼ねた濾過部材の部品の構成を示したである。
【図２】本考案の装飾部材を兼ねた濾過部材を水槽に設置する方法を示した図である。
【図３】本考案の装飾部材を兼ねた濾過部材を水槽に設置した後の状態を示した図である。
【図４】装飾部材を兼ねた濾過部材を示す写真
【図５】装飾部材を兼ねた濾過部材を水槽に挿入する写真
【図６】装飾部材を兼ねた濾過部材を水槽に挿入した写真
【考案を実施するための形態】
【実施例】
【００１０】
以下に本考案について具体的に説明する。
図１は、本考案の装飾部材を兼ねた濾過部材１の部品の構成を示したものであり、以下に示す部品からなる。２は循環パイプ、３はドライバー、４は水槽、５は装飾部材の底板ベース、６は挿入孔Ａ、７は挿入孔Ｂ、８は濾過部材、９は装飾部材の部品（砂）の落下防止ネットである。装飾部材を兼ねた濾過部材１は、水槽４の内寸に合わせて、石膏等で製作する。図においては示していないが、このは装飾部材の底板ベース５は後に述べるように、様々な形も物を作っても良い。
【００１１】
図２は、本考案の装飾部材を兼ねた濾過部材１を水槽４に設置する方法を示した図である。循環パイプ２を、飾部材挿入口B７に着け、ドライバー３を飾部材挿入口Ａ６につけて、循環パイプ２とドライバー３により、装飾部材を兼ねた濾過部材１を保持し、水槽４の中に設置する。なお、水槽内より取り外す時にも同様の方法により行う。
【００１２】
図３は、本考案の装飾部材を兼ねた濾過部材１を水槽４に設置した後の状態を示した図である。
装飾部材底板ベース５は、石膏で水槽内寸に合わせて制作する。この図では特別な形をしていないが、後に示すように、富士山等の様々な形状のものを制作することができる。循環ポンプは、循環パイプ２の上に取り付けることができる。
【００１３】
本考案の特徴は、水槽の外で装飾部材を兼ねた濾過部材１として完成させ、水中景観を作り上げることができることである。富士山、スカイツリー、ピラミッド、田舎風景、四季の風景、キャラクター、乗り物、動物模型を飾り付けることもでき、また、水槽の大きさに合わせた装飾部材を製作出来る。
【００１４】
作り上がった、装飾部材を兼ねた濾過部材１を水槽４の底に取り付けし、循環パイプ２より、水を入れて完成となる。
水槽清掃時には、水槽４の水を循環パイプ２より、くみ上げ、装飾部材を兼ねた濾過部材１を、水槽４の底より取り出し清掃し、水槽も清掃、再び、装飾部材を兼ねた濾過部材１を取り付け、循環パイプ２より、水を入れて終了させる。装飾部材を兼ねた濾過部材１を、取り付け、取り外すだけで、難しい手順もいらず、簡単、楽に、魚、水草を飼育できる。
以下に制作手順を示す。
【００１５】
・  循環ポンプを取り付けもできる着脱も可能な循環パイプ、ろ過部材および装飾部材。中心部には、砂、砂利、を入れる。
・  水槽のそとで、装飾し、水中景観を作り上げることができる。水槽の大きさに、合わせて、装飾部材を製作できます。装飾部材に砂利を入れて、岩、水草、装飾し完成させる。
・  循環パイプとドライバーをもち、水槽内に装飾部材を入れる。
・  装飾部材を取り付け、ドライバーを外し、水、魚を入れて、完成させる。
・  メンテナンス時は、装飾部材にドライバーをとりつけ、装飾部材を水槽から、出す。
・  装飾は清掃も楽、簡単にできる。
・  装飾部材に世界遺産に登録された、富士山模型を、製作例です。
・  砂利、水草、装飾して、完成させる。
・  ネーミングは、ラ・アクア、楽に、魚、水草、を飼育でき、メンテナンスも、難しい手順もいらず、老人、女性、子供でも、楽、簡単にでる。
【産業上の利用可能性】
【００１６】
本考案は、観賞用水槽の販路拡大に有効である。
【符号の説明】
【００１７】
１  装飾部材
２  循環パイプ
３  ドライバー
４  水槽
５  装飾部材の底板ベース
６  挿入孔Ａ
７  挿入孔Ｂ
８  装飾部材の部品の落下防止ネット
９  濾過部材
【図１】
0003194614.tif 000003
【図２】
0003194614.tif 000004
【図３】
0003194614.tif 000005
【図４】
0003194614.tif 000006
【図５】
0003194614.tif 000007
【図６】
0003194614.tif 000008
【手続補正書】
【提出日】平成26年9月25日(2014.9.25)
【手続補正１】
【補正対象書類名】実用新案登録請求の範囲
【補正対象項目名】請求項１
【補正方法】変更
【補正の内容】
【請求項１】
水槽の内寸に合わせて石膏で製作された底板ベースに装飾部材の部品の落下防止ネットと砂・砂利を上部に乗せた濾過部材とを組み合わせ、水投入用の循環パイプを備えた装飾部材を兼ねた濾過部材